(57)【要約】      （修正有）【課題】発光体と電源とを極めて簡便に且つ短時間に接続するとともに特定された発光体のみを交換可能とするクリスマスツリー用の発光体用コネクターを提供する。【解決手段】第１ボデー２０と第２ボデー３０とを当接することにより、第１挿入ガイド孔２０ｃ１，２０ｃ２と、第２挿入ガイド孔３０ａ１，３０ａ２とにより形成される第１挿入孔，と、第３挿入ガイド孔３０ｅにより形成される第２挿入孔と、連通孔２０ｅと第３挿入ガイド孔３０ｅとにより形成されるコネクター室と、を備えるクランプ１０が形成される。クランプ１０の第１挿入孔，を介して補助ケーブル９４が挿入され、第２挿入孔を介して装飾具１が挿入され、両者がクランプ１０のコネクター室内において電気接続される。【選択図】図２
0003138508.tif 000002
【実用新案登録請求の範囲】
【請求項１】
第１ボデー（２０）は、左端（２０ａ）から右端（２０ｂ）側に向かいその右端側が連通孔（２０ｅ）によって連通されるとともに上端面（２０ｄ）に向けて開口する第１挿入ガイド孔（２０ｃ１），（２０ｃ２）と、
第１挿入ガイド孔（２０ｃ１），（２０ｃ２）のそれぞれの延長上の連通孔（２０ｅ）にあって、下端面（２０ｇ）に向けて穿設される係止孔（２０ｈ１），（２０ｈ２）と、を備え；
一方、第２ボデー（３０）は、左端（３０ｂ）から右端（３０ｃ）側に向かうとともに上端面（３０ｄ）に向けて開口する第２挿入ガイド孔（３０ａ１），（３０ａ２）と、
右端（３０ｃ）から第２挿入ガイド孔（３０ａ１），（３０ａ２）に向けて連通されるとともに上端面（３０ｄ）に向けて開口する第３挿入ガイド孔（３０ｅ）と、
第３挿入ガイド孔（３０ｅ）の底部（３０ｆ）に突起して形成される係止突部（３０ｇ）と、を備え、
前記第１ボデー（２０）と第２ボデー（３０）のそれぞれの上端面（２０ｄ），（３０ｄ）を当接配置することにより、第１挿入ガイド孔（２０ｃ１），（２０ｃ２）と、
第２挿入ガイド孔（３０ａ１），（３０ａ２）とにより左端（１０ａ）に開口する第１挿入孔（４０ａ），（４０ｂ）と、第３挿入ガイド孔（３０ｅ）により右端（１０ｂ）に開口して形成される第２挿入孔（４１）と、連通孔（２０ｅ）と第３挿入ガイド孔（３０ｅ）とにより形成されるコネクター室（４２）と、前記コネクター室（４２）に臨んで配置される係止孔（２０ｈ１），（２０ｈ２）、係止突部（３０ｇ）と、を備えるクランプ（１０）を形成し、前記クランプ（１０）の左端（１０ａ）に開口する第１挿入孔（４０ａ），（４０ｂ）を介してターミナル（５０ａ），（５０ｂ）を備える補助ケーブル（９４）をクランプ（１０）内に挿入配置するとともにクランプ（１０）の右端（１０ｂ）に開口する第２挿入孔（４１）を介して装飾具（１）をクランプ（１０）内に挿入配置し、コネクター室（４２）内において補助ケーブル（９４）と装飾具（１）とを電気接続したことを特徴とするクリスマスツリー用の発光体用コネクター。
【請求項２】
前記装飾具を、第１電極層、蛍光層、遺伝層及び第２電極層を含むエレクトロルミネッセンス発光手段としたことを特徴とする請求項１記載のクリスマスツリー用の発光体用コネクター。
【請求項３】
前記装飾具は前記第２挿入孔（４１）に挿入される電極挿入片部（２）を備え、
該電極挿入片部に、前記第１電極層、第２電極層にそれぞれ接続される電極端子（３ａ），（３ｂ）及び前記係止突部（３０ｇ）に係止される係止孔（４）を設けたことを特徴とする請求項２記載のクリスマスツリー用の発光体用コネクター。
【請求項４】
前記各補助ケーブル（４０）はその先端部にターミナル（５０ａ），（５０ｂ）を備えるとともに装飾具（１）の電極挿入片部（２）には電極端子（３ａ），（３ｂ）を備え、前記ターミナル（５０ａ），（５０ｂ）と電極端子（３ａ），（３ｂ）をコネクター室（４２）内において弾性的に押圧接続したことを特徴とする請求項１記載のクリスマスツリー用の発光体用コネクター。
【請求項５】
前記クランプ（１０）を構成する第２ボデー（３０）には、コネクター室（４２）内に開口する操作孔（３０Ｊ）が穿設され、操作孔（３０Ｊ）を介して操作棒（６０）により装飾具（１）の電極挿入片部（２）を弾性変形させることにより、電極挿入片部（２）の係止孔（４）と、係止突部（３０ｇ）との係止を解除し、装飾具（１）を第２挿入孔（４１）より引抜き可能としたことを特徴とする請求項３記載のクリスマスツリー用の発光体用コネクター。
【請求項６】
前記補助ケーブル（９４）のターミナル（５０ａ），（５０ｂ）に、操作棒（６０）により装飾具（１）の電極挿入片部（２）が弾性変形される際、前記電極挿入片部（２）の弾性変形を許容する曲片部（５０ａ１），（５０ｂ１）を設けたことを特徴とする請求項５記載のクリスマスツリー用の発光体用コネクター。
【考案の詳細な説明】
【技術分野】
【０００１】
本考案は、発光体用コネクターに係り、更に詳しくは、クリスマスツリー用発光体、例えば雪だるま、鐘、靴下、等の発光装飾具が電気接続用コネクターを介して簡便に接続できるクリスマスツリー用の発光体用コネクターに関する。
【背景技術】
【０００２】
一般的にクリスマスツリーは、クリスマスを記念するために毎年クリスマスシーズンに合わせて室内外を飾るための飾りの一種として用いられるもので、このクリスマスツリーには、電球飾り以外にも、雪だるま、綿、鐘、靴下、等の各種発光デコレーション装飾具が設置され、これらの発光装飾具は発光システムによって発光される。
図１８は、従来のクリスマスツリー発光システムを概略的にあらわした図である。
図１８に示されるように、従来のクリスマスツリー発光システムは、エレクトロルミネッセンス発光手段である装飾具（１００）が動作電源を供給する発光システム（１１１）に電気的に接続されるもので、発光システム（１１１）の中央ケーブル（１１２）に、Ｔ型の電気コネクター（１１３）を介して複数の補助ケーブル（１１４）が並列に接続され、更にこの補助ケーブル（１１４）に装飾具（１００）の電極端子（１１５）が公知のコネクター（１１６）を介して電気的に接続される。
かかるコネクター（１１６）における電気接続は図１９に示される。
又、実用新案登録第３１１８１３７号公報のものによると、（以下における符号は同明細書中の符号を使用した）ＥＬ発光シート（１）に差し込み部（２）を設け、差し込み部（２）に絶縁部（３ａ）を設け、電極（４ａ），（４ｂ）から差し込み部２の外部に向けて接続端子（５ａ），（５ｂ）が突起して設けられる。
又、支持ソケット部（６）は、絶縁部（３ｂ）を備えるとともに前記接続端子（５ａ），（５ｂ）に挿通接合される凹型接続端子（７ａ），（７ｂ）が設けられ、凹型接続端子（７ａ），（７ｂ）は、インバータ電極（８ａ），（８ｂ）を介してインバータ（９）へ接続される。そしてＥＬ発光シート１の接続端子（５ａ），（５ｂ）をソケット部（６）の凹型接続端子（７ａ），（７ｂ）に挿通接合することによりＥＬ発光シート（１）とインバータ（９）とは、接続端子（５ａ），（５ｂ）、インバータ電極（８ａ），（８ｂ）を介して電気接続される。
【特許文献１】実用新案登録第３１１８１３７号
【考案の開示】
【考案が解決しようとする課題】
【０００３】
図１８に示された従来例によると、コネクター（１１６）と装飾具（１００）の電極端子（１１５）の電気的接続は、それら相互間に接着剤が塗布され、接着剤に接着圧力を一定時間加えなければならない。
以上によると、コネクター（１１６）と装飾具（１００）の接続作業において、接着剤の塗布作業、接着圧力の保持時間が必要となるもので作業効率の向上、作業時間の短縮を効果的に達成することができない。又、コネクター（１１６）と装飾具（１００）との間に電気的接続不良が発生した際、当該装飾具（１００）のみを交換することが不可能であった。
又、前記特許文献１のものによると、ＥＬ発光シート（１）がソケット部（６）へ挿通接合されていない状態（例えばＥＬ発光シート（１）の脱着時）において、ＥＬ発光シート（１）の接続端子（５ａ），（５ｂ）はその周囲を何等囲繞されることがなく直接的に大気に露出して配置される。
以上によると、子供、幼児が接続端子（５ａ），（５ｂ）にふれたり、あるいは、なめたりする恐れがあり好ましいものではない。
又、接続端子（５ａ），（５ｂ）に外力が加わった際、接続端子（５ａ），（５ｂ）が変形する恐れがあり、支持ソケット部（６）への挿通接合に不都合を生ずる恐れがある。又ＥＬ発光シート（１）の梱包もまた接続端子（５ａ），（５ｂ）が変形しないよう注意深く行なわれる必要があり、物流管理あるいは収納保管がはんざつとなる恐れがある。
【０００４】
本考案になるクリスマスツリー用の発光体用コネクターは前記不具合に鑑み成されたもので、発光体と電源とを極めて簡便に且つ短時間に電気接続することのできるクリスマスツリー用の発光体用コネクターを提供すること。及び接続端子が外部から直接的に触れられることがなく、安全性が高く、接続端子部を良好に維持できるクリスマスツリー用の発光体用コネクターを提供すること。更には特定の発光体のみを容易に交換可能にすることのできるクリスマスツリー用の発光体用コネクターを提供すること。を主たる目的とする。
【課題を解決するための手段】
【０００５】
本考案になるクリスマスツリー用の発光体用コネクターは、前記目的達成のために、第１ボデーは、左端から右端側に向かいその右端側が連通孔によって連通されるとともに上端面に向けて開口する第１挿入ガイド孔と、
第１挿入ガイド孔のそれぞれの延長上の連通孔にあって、下端面に向けて穿設される係止孔と、を備え；
一方、第２ボデーは、左端から右端側に向かうとともに上端面に向けて開口する第２挿入ガイド孔と、
右端から第２挿入ガイド孔に向けて連通されるとともに上端面に向けて開口する第３挿入ガイド孔と、
第３挿入ガイド孔の底部に突起して形成される係止突部と、を備え、
前記第１ボデーと第２ボデーのそれぞれの上端面を当接配置することにより、第１挿入ガイド孔と、
第２挿入ガイド孔とにより左端に開口する第１挿入孔と、第３挿入ガイド孔により右端に開口して形成される第２挿入孔と、連通孔と第３挿入ガイド孔とにより形成されるコネクター室と、前記コネクター室に臨んで配置される係止孔、係止突部と、を備えるクランプを形成し、前記クランプの左端に開口する第１挿入孔を介してターミナルを備える補助ケーブルをクランプ内に挿入配置するとともにクランプの右端に開口する第２挿入孔を介して装飾具をクランプ内に挿入配置し、コネクター室内において補助ケーブルと装飾具とを電気接続したことを第１の特徴とする。
【０００６】
又、本考案は、前記第１の特徴に加え、前記装飾具を、第１電極層、蛍光層、遺伝層及び第２電極層を含むエレクトロルミネッセンス発光手段としたことを第２の特徴とする。
【０００７】
又、本考案は、前記第２の特徴に加え、前記装飾具は前記第２挿入孔に挿入される電極挿入片部を備え、
該電極挿入片部に、前記第１電極層、第２電極層にそれぞれ接続される電極端子及び前記係止突部に係止される係止孔を設けたことを第３の特徴とする。
【０００８】
又、本考案は、前記第１の特徴に加え、前記各補助ケーブルはその先端部にターミナルを備えるとともに装飾具の電極挿入片部には電極端子を備え、前記ターミナルと電極端子をコネクター室内において弾性的に押圧接続したことを第４の特徴とする。
【０００９】
更に、本考案は、前記第３の特徴に加え、前記クランプを構成する第２ボデーには、コネクター室内に開口する操作孔が穿設され、操作孔を介して操作棒により装飾具の電極挿入片部を弾性変形させることにより、電極挿入片部の係止孔と、係止突部との係止を解除し、装飾具を第２挿入孔より引抜き可能としたことを第５の特徴とする。
【００１０】
更に又、本考案は、前記第５の特徴に加え、前記補助ケーブルのターミナルに、操作棒により装飾具の電極挿入片部が弾性変形される際、前記電極挿入片部の弾性変形を許容する曲片部を設けたことを第６の特徴とする。
【考案の効果】
【００１１】
本考案のクリスマスツリー用の発光体用コネクターによると、クランプの左端に開口する第１挿入孔よりターミナルを備える補助ケーブルを挿入するとともにクランプの右端に開口する第２挿入孔に向けて装飾具を挿入し、クランプのコネクター室内において補助ケーブルと装飾具とが電気接続されるので、その電気接続を極めて容易に且つ短時間にて行なうことができ、その接続作業性を大きく向上することができる。
又、クランプのコネクター室内において、係止突部と装飾具の係止孔とが係止されて装飾具がクランプに固定的に接続保持されるが、クランプの操作孔を介して装飾具の電極挿入片部を弾性変形させ、前記係止突部と係止孔との係止を解除することができ、これによって特定された単一の装飾部のみを交換することができ、装飾部の不具合発生時及び装飾部の変更時、等の作業を容易に実施できる。
【考案を実施するための最良の形態】
【００１２】
以下、本考案になるクリスマスツリー用の発光体用コネクターの一実施例を図により説明する。
図１は、本考案の発光体用コネクターを用いたクリスマスツリー発光システムを示す概略図である。
（９０）は、動作電源を供給する電源供給手段であり、この電源供給手段（９０）は、後述する装飾具の発光動作を制御する制御手段（９１）に接続される。
（９２）は、前記電源供給手段に電気的に接続された中央ケーブルであり、この中央ケーブル（９２）からＴ型コネクター（９３）を介して複数の補助ケーブル（９４）が並列に分岐して配置される。
（全ての補助ケーブル（９４）は中央ケーブル（９２）と電気接続される）
そして、前記各補助ケーブルと後述する装飾具とは後述するクランプにより脱着可能に電気接続される。
【００１３】
装飾具（１）は図２に示される。
装飾具（１）は、星、長靴、雪花、雪ダルマ等、種々の形状をもつベースフィルム、上記ベースフィルムの上部に浸漬コーティングされたポリマー層、上記ポリマー層の上部に浸漬コーティングされた第１電極層、上記第１電極層の上部に浸漬コーティングされた誘電体層、上記誘電体層の上部に浸漬コーティングされた蛍光層、上記蛍光層の上部に浸漬コーティングされた第２電極層、上記第２電極層の上部に浸漬コーティングされたポリマー保護層、を備えるエレクトロルミネッセンス発光手段である。
又、図２においてその左端から左方に向かって薄型平板形状をなす電極挿入片部（２）が突出して一体形成されるもので、電極挿入片部（２）の上面（２ａ）には、前記第１電極層、第２電極層にそれぞれ接続される電極端子（３ａ），（３ｂ）が配置される。
前記電極端子（３ａ），（３ｂ）は、電極挿入片部（２）の長手方向に沿って配置されるとともに電極挿入片部（２）の上面（２ａ）上に露出配置される。更に電極挿入片部（２）にはその上面（２ａ）から下面（２ｂ）に向けて係止孔（４）が貫通して穿設される。
この係止孔（４）は、電極端子（３ａ），（３ｂ）の間に形成された。尚、前記電極挿入片部は、合成樹脂材料によって形成されることが好ましい。
【００１４】
次にクランプ（１０）について説明する。クランプ（１０）は、図２に示される如く、分割された第１ボデー（２０）と第２ボデー（３０）とにより構成され、それらが一体化されて形成される。図３、図４、図５により第１ボデー（２０）について説明する。図３は第１ボデー（２０）の斜視図。図４は図３のＡ−Ａ線における縦断面図。図４は図３のＢ−Ｂ線における縦断面図である。
第１ボデー（２０）は、薄型の半割り筒状をなし、図３において左端（２０ａ）から右端（２０ｂ）側に向けて第１挿入ガイド孔（２０ｃ１），（２０ｃ２）が形成される。この第１挿入ガイド孔（２０ｃ１），（２０ｃ２）は第１ボデー（２０）の長手方向に沿って形成されるとともに第１ボデー（２０）の上端面（２０ｄ）にそれぞれが分離して開口して形成される。尚、第１挿入ガイド孔（２０ｃ１），（２０ｃ２）の右端側は連通孔（２０ｅ）によって、上端面（２０ｄ）に開口するよう連通接続される。
この連通孔（２０ｅ）は図４、図５によって理解できる。
又、第１挿入ガイド孔（２０ｃ１），（２０ｃ２）のそれぞれの延長された底部（２０ｆ）から第１ボデー（２０）の下端面（２０ｇ）に向けて係止孔（２０ｈ１），（２０ｈ２）が貫通して穿設される。この係止孔（２０ｈ１），（２０ｈ２）は連通孔（２０ｅ）に臨んで開口することになる。
上記をまとめてみると、第１ボデー（２０）の左端（２０ａ）には、第１挿入ガイド孔（２０ｃ１），（２０ｃ２）がそれぞれ開口し、その上端面（２０ｄ）には第１挿入ガイド孔（２０ｃ１），（２０ｃ２）及び連通孔（２０ｅ）が開口する。
又、第１挿入ガイド孔（２０ｃ１），（２０ｃ２）のそれぞれの延長された底部（２０ｆ）より下端面（２０ｇ）に向けて係止孔（２０ｈ１），（２０ｈ２）が貫通して穿設されるとともにこの係止孔（２０ｈ１），（２０ｈ２）は連通孔（２０ｅ）に臨んで開口する。
【００１５】
次に図６、図７、図８により第２ボデー（３０）について説明する。
図６は第２ボデーの斜視図。図７は図６のＣ−Ｃ線の縦断面図。図８は図６のＤ−Ｄ線の縦断面図。である。
（３０ａ１），（３０ａ２）は、第２ボデー（３０）の左端（３０ｂ）から右端（３０ｃ）側に向けて形成された第２挿入ガイド孔であり、第２ボデー（３０）の長手方向に沿って形成されるとともに第２ボデー（３０）の上端面（３０ｄ）にそれぞれが分離して開口形成される。
又、第２ボデー（３０）の右端（３０ｃ）から左端（３０ｂ）側に向けて第３挿入ガイド孔（３０ｅ）が形成されるもので、この第３挿入ガイド孔（３０ｅ）の左端は、第２挿入ガイド孔（３０ａ１），（３０ａ２）に臨んで開口して連設される。
更に第３挿入ガイド孔（３０ｅ）の底部（３０ｆ）には、右端（３０ｃ）側に係止突部（３０ｇ）が突出して形成され、この係止突部（３０ｇ）の左方に、底部（３０ｆ）から下端面（３０ｈ）に向けて操作孔（３０Ｊ）が貫通して穿設される。
前記係止突部をより詳述すると、係止突部（３０ｇ）は、底部（３０ｆ）から左斜め上方に向かう傾斜面部（３０ｇ１）と、傾斜面部（３０ｇ１）の左端頂部から底部（３０ｆ）に向かう直角係止部（３０ｇ２）とによって形成されるもので、傾斜面部（３０ｇ１）は右端（３０ｃ）に臨んで形成され、直角係止部（３０ｇ２）は左端（３０ｂ）に臨んで形成される。
上記をまとめてみると、第２ボデー（３０）には、その左端（３０ｂ）に第２挿入ガイド孔（３０ａ１），（３０ａ２）がそれぞれ開口し、右端（３０ｃ）に第３挿入ガイド孔（３０ｅ）が開口し、上端面（３０ｄ）には、第２挿入ガイド孔（３０ａ１），（３０ａ２）及び第２挿入ガイド孔（３０ａ１），（３０ａ２）に連設される第３挿入ガイド孔（３０ｅ）が開口して形成される。
又、第３挿入ガイド孔（３０ｅ）の底部（３０ｆ）には係止突部（３０ｇ）が上端面（３０ｄ）に向けて突起して形成され、更に係止突部（３０ｄ）より左方の底部（３０ｆ）から下端面（３０ｈ）に向けて操作孔（３０Ｊ）が貫通して穿設される。
【００１６】
そして、上記構成よりなる第１ボデー（２０）と第２ボデー（３０）とによりクランプ（１０）が形成される。図２を用いて説明すると、図２の状態に配置された第１ボデー（２０）を時計方向（Ｅ）へと反回転させ、第１ボデー（２０）の上端面（２０ｄ）を第２ボデー（３０）の上端面（３０ｄ）上に当接配置し、かかる状態において両上端面（２０ｄ），（３０ｄ）を固定配置する。この固定方法は接着剤による接着、熱溶着、ネジ、ナットによる螺着、等の方法が用いられるもので、この固定方法については特に限定されない。
上記により、第１ボデー（２０）と第２ボデー（３０）とが当接配置されてクランプ（１０）が形成された状態が図９、図１０、図１１、図１２に示される。
図９はクランプ（１０）の上部平面図。図１０は図９の正面図。図１１は左側面図。図１２は右側面図。である。
上記によると、第１ボデー（２０）の上端面（２０ｄ）に開口する第１挿入ガイド孔（２０ｃ１），（２０ｃ２）に第２ボデー（３０）の上端面（３０ｄ）に開口する第２挿入ガイド孔（３０ａ１），（３０ａ２）が臨んで配置され、これにより第１挿入孔（４０ａ），（４０ｂ）が形成される。
この第１挿入孔（４０ａ），（４０ｂ）は、第１ボデー（２０）の左端（２０ａ）、第２ボデー（３０）の左端（３０ｂ）にそれぞれ開口する。上記は図９のＦ−Ｆ線の縦断面図である図１３及び図１１により理解される。
一方、第２ボデー（３０）の上端面（３０ｄ）に開口する第３挿入ガイド孔（３０ｅ）は第１ボデー（２０）の上端面（２０ｄ）によって閉塞されて第２挿入孔（４１）が形成されるもので、この第２挿入孔（４１）は、第１ボデー（２０）の右端（２０ｂ）、第２ボデー（３０）の右端（３０ｃ）に開口する。上記は図９のＧ−Ｇ線における縦断面図である図１４及び図１２により理解される。
又、第１ボデー（２０）の連通孔（２０ｅ）は、第２ボデー（３０）の第３挿入ガイド孔（３０ｅ）に臨んで配置され、連通孔（２０ｅ）とそれに臨む第３挿入ガイド孔（３０ｅ）とによりコネクター室（４２）が形成される。
そして、かかるコネクター室（４２）の左方には、第１挿入孔（４０ａ），（４０ｂ）がそれぞれ開口し、コネクター室（４２）の右方には第２挿入孔（４１）が開口する。
いいかえると、コネクター室（４２）の左方は第１挿入孔（４０ａ），（４０ｂ）を介して第１ボデー（２０）の左端（２０ａ）、第２ボデー（３０）の左端（３０ｂ）に開口し、コネクター室（４２）の右方は第２挿入孔（４１）を介して第１ボデー（２０）の右端（２０ｂ）、第２ボデー（３０）の右端（３０ｃ）に開口する。上記は図１３、図４により理解できる。
又、第１ボデー（２０）に穿設される係止孔（２０ｈ１），（２０ｈ２）及び第２ボデー（３０）に穿設される操作孔（３０Ｊ）更に第２ボデー（３０）に突設される係止突部（３０ｇ）も、コネクター室（４２）内に臨んで配置される。
これらは、図１３、図１４に示される。上記により第１ボデー（２０）と第２ボデー（３０）とによりクランプ（１０）が形成された。
【００１７】
一方、前述した補助ケーブル（９４）の先端部には薄板金属材料にて形成されたターミナル（５０ａ），（５０ｂ）が突出して接続配置される。ターミナル（５０ａ）は補助ケーブル（９４）の中心方向に向けて湾曲形成される曲片部（５０ａ１）と一端が固定され、他端が自由端をなすとともに補助ケーブル（９４）の外方に向かって突出形成される係止舌片（５０ａ２）を備える。
同様に、ターミナル（５０ｂ）も、曲片部（５０ｂ１）と係止舌片（５０ｂ２）を備える。上記係止舌片（５０ａ２），（５０ｂ２）はターミナル（５０ａ），（５０ｂ）の一部をプレスにより打抜くことにより形成できる。
上記ターミナルを備える補助ケーブル（９４）は図２に示される。
【００１８】
そして、図１に示される中央ケーブル（９２）よりＴ型コネクター（９３）を介して分岐する補助ケーブル（９４）と装飾具（１）とは以下によって接続される。
まずクランプ（１０）を構成する第１ボデー（２０）、第２ボデー（３０）の左端（２０ａ），（３０ｂ）に臨んで補助ケーブル（９４）のターミナル（５０ａ），（５０ｂ）が配置される。一方、第１ボデー（２０）、第２ボデー（３０）の右端（２０ｂ），（３０ｃ）に臨んで装飾具（１）が配置される。この配置状態は図２に示される。
かかる状態において、補助ケーブル（９４）は以下によってクランプ（１０）に接続配置される。
ターミナル（５０ａ）を備える一方、補助ケーブル（９４）がクランプ（１０）の左端（１０ａ）に開口する一方の第１挿入孔（４０ａ）からコネクター室（４２）内に向けて挿入され、ターミナル（５０ｂ）を備える他方の補助ケーブル（９４）が、クランプ（１０）の左端（２０ａ）に開口する他方の第１挿入孔（４０ｂ）からコネクター室（４２）内に向けて挿入される。
上記によると、コネクター室（４２）内に進入したターミナル（５０ａ）の係止舌片（５０ａ２）は第１ボデー（２０）に穿設された一方の係止孔（２０ｈ１）に係止され、曲片部（５０ａ１）はコネクター室（４２）内に収納配置される。この状態は図１５に示される。
尚、他方のターミナル（５０ｂ）にあっても、上記と同様にその係止舌片（５０ｂ２）が他方の係止孔（２０ｈ２）に係止され、曲片部（５０ｂ１）がコネクター室（４２）内に収納配置される。
上記によれば、それぞれの補助ケーブル（１４０）の先端部が、第１挿入孔（４０ａ），（４０ｂ）によってその外周が支持され、一方コネクター室（４２）内に挿入配置されるターミナル（５０ａ），（５０ｂ）が係止舌片（５０ａ２），（５０ｂ２）を介して係止孔（２０ｈ１），（２０ｈ２）に係止されて配置されるので、補助ケーブル（１４０）に対して引抜き方向の力が作用した際、あるいは補助ケーブル（１４０）に側方への力が作用した際にあっても、ターミナル（５０ａ），（５０ｂ）を含む補助ケーブル（１４０）
を確実にクランプ（１０）に接続保持することができる。従って補助ケーブル（１４０）とクランプ（１０）とを長期に渡って良好に接続できる。
又、補助ケーブル（１４０）は単にクランプ（１０）の左端（１０ａ）に開口する第１挿入孔（４０ａ），（４０ｂ）に向けて挿入すればよいので、上記接続作業を極めて簡単に且つ短時間に行なうことができ、更に上記作業に格別の熟練を必要とするものではない。
【００１９】
そして装飾具（１）は以下によってクランプ（１０）に電気接続される。
装飾具（１）の左端から左方に突出して形成される電極挿入片部（２）が、クランプ（１０）の右端（１０ｂ）に開口する第２挿入孔（４１）からコネクター室（４２）内に向けて挿入される。
かかる電極挿入片部（２）の前記第２挿入孔（４１）内への挿入時において、電極挿入片部（２）の先端部（２ａ）が、第２ボデー（３０）に形成した係止突部（３０ｇ）の傾斜面部（３０ｇ１）に当接した際、前記先端部はコネクター室（４２）内において上方に弾性的に変形するもので電極挿入片部（２）に穿設した係止孔（４）が係止突部（３０ｇ）の直角係止部（３０ｇ２）を通過した後、電極挿入片部（２）の先端部（２ａ）は自己の有する弾性力によって再び原位置に復帰し、係止孔（４）は係止突部（３０ｇ）により係止される。
前記電極挿入片部（２）の先端部（２ａ）におけるコネクター室（４２）への進入状態は図１６によく示されるもので、図１６における点線状態の電極挿入片部（２）の先端部（２ａ）は、係止突部（３０ｇ）の傾斜面部（３０ｇ１）に沿って弾性変形した状態を示すもので、実線状態は電極挿入片部（２）の先端部（２ａ）が原位置へ復帰し、係止孔（４）が係止突部（３０ｇ）に係止した状態が示される。
上記によって電極挿入片部（２）の先端部（２ａ）はコネクター室（４２）内に挿入配置されるもので、かかる状態において、電極挿入片部（２）の上面に配置され、コネクター室（４２）内に挿入配置された一方の電極端子（３ａ）は、前記によってコネクター室（４２）内に配置される一方のターミナル（５０ａ）の曲片部（５０ａ１）に電気接続される。これは図１５によく示される。
又、電極挿入片部（２）の他方の電極端子（３ｂ）にあっても同様にコネクター室（４２）内において他方のターミナル（５０ｂ）の曲片部（５０ｂ１）に電気接続される。
以上により装飾具（１）はクランプ（１０）に電気接続されたものであり、前記により、補助ケーブル（９４）と装飾具（１）とはクランプ（１０）を介して電気接続されるもので、この接続状態は図１７によく示される。
【００２０】
また上記において係止孔（４）より先端側にある電極挿入片部（２）の先端側はクランプ（１０）に穿設された操作孔（３０Ｊ）をおおう様（いいかえると閉塞するよう）に配置される。
これは図１６によく示される。
上記によれば各ターミナル（５０ａ），（５０ｂ）に曲片部（５０ａ１），（５０ｂ１）が形成され、この曲片部（５０ａ１），（５０ｂ１）と、装飾具（１）の電極端子（３ａ），（３ｂ）とが曲片部（５０ａ），（５０ｂ）が有する弾性力をもって接触接続されるので、部品相互の寸法バラツキ、挿入時のバラツキの影響を受けることなく補助ケーブル（９４）と装飾具（１）との電気接続を確実に行なうことができる。又かかる装飾具（１）の電気接続は、単に電極挿入片部（２）をコネクター（１０）の第２挿入孔（４１）に向けて挿入すればよいので、その作業時間を大幅に短縮することができるとともに何等の熟練、工具を必要とするものでなく、子供でも極めて容易に且つ安全に実施することができる。
又、装飾具（１）に対して引抜き方向の力が作用した際にあっても、電極挿入片部（２）の係止孔（４）が係止突部（３０ｇ）の直角係止部（３０ｇ２）に係止して保持されるので誤って無用に装飾具（１）がクランプ（１０）より引抜かれることがない。
【００２１】
一方、装飾具（１）が故障した際、あるいは装飾具（１）を交換する必要が生じた際について図１６により説明すると、クランプ（１０）の下方に開口する操作孔（３０Ｊ）内に丸棒等よりなる操作棒（６０）を挿入し、これによって装飾具（１）の電極挿入片部（２）の先端部（２ａ）を図１６において上方に押圧し、先端部（２ａ）を図１６において時計方向に弾性的に変形させ、電極挿入片部（２）の係止孔（４）を係止突部（３０ｇ）より脱出させる。この先端部（２ａ）の脱出状態は図１６において点線で示される。
そして、かかる状態において、装飾具（１）を図１６において右方へ引抜くもので、これによって装飾具（１）をクランプ（１０）より容易に取り外すことができる。
上記によれば、他の装飾具に何等の影響を与えることなく、故障した装飾具（１）のみの変換及び所望の装飾具への交換を極めて容易に行なうことができる。
又、前記操作孔は、装飾具（１）がクランプ（１０）に装着された状態において、装飾具（１）の電極挿入片部（２）によって閉塞保持されているので、操作孔（３０Ｊ）より水、蒸気、異物等がコネクター室（４２）内に進入し、ターミナルと電極端子との電気接続に悪影響を与えることがない。
又、クランプ（１０）を形成する第１ボデー（２０）、第２ボデー（３０）を合成樹脂材料を用いて射出成形して形成すると、種々の孔、突部を有するそれらボデー（２０），（３０）を安価に製造できる。
【００２２】
尚、前述した第１挿入孔（４０ａ），（４０ｂ）の孔形状はターミナルを含む補助ケーブル（９４）を挿入できる形状であればよく、その孔形状に限定されるものでない。
又、第２挿入孔（４１）の孔形状は、電極端子を含む電極挿入片部（２）を挿入できる形状であればよい。
【図面の簡単な説明】
【００２３】
【図１】本考案になるクリスマスツリー用の発光体用コネクターを用いたクリスマスツリー発光システムを示す概略図。
【図２】本考案になるクリスマスツリー用の発光体用コネクターの全体構成図。
【図３】本考案になるクリスマスツリー用の発光体用コネクターを構成する第１ボデーの斜視図。
【図４】図３のＡ−Ａ線における縦断面図。
【図５】図３のＢ−Ｂ線における縦断面図。
【図６】本考案になるクリスマスツリー用の発光体用コネクターを構成する第２ボデーの斜視図。
【図７】図６のＣ−Ｃ線における縦断面図。
【図８】図６のＤ−Ｄ線における縦断面図。
【図９】本考案になるクリスマスツリー用の発光体用コネクターの一実施例を示す上部平面図。
【図１０】図９の正面図。
【図１１】図９の左側面図。
【図１２】図９の右側面図。
【図１３】図９のＦ−Ｆ線における縦断面図。
【図１４】図９のＧ−Ｇ線における縦断面図。
【図１５】図１３の状態において、クランプにターミナルを含む補助ケーブルと、装飾具の電極挿入片部が挿入配置された状態における縦断面図。
【図１６】図１４の状態において、クランプに装飾具の電極挿入片部が挿入配置された状態における縦断面図。
【図１７】本考案になるクランプにより補助ケーブルと装飾具が電気接続された状態を示す斜視図。（図１のＨ部に相当する）
【図１８】従来のクリスマスツリー用発光システムを示す概略図。
【図１９】図１８のＪ部におけるコネクターを示す要部拡大図。
【符号の説明】
【００２４】
１      装飾具
１０    クランプ
１０ａ  クランプの左端
１０ｂ  クランプの右端
２０    第１ボデー
２０ａ  左端
２０ｂ  右端
２０ｃ１，２０ｃ２    第１挿入ガイド孔
２０ｄ  上端面
２０ｅ  連通孔
２０ｈ１，２０ｈ２    係止孔
３０    第２ボデー
３０ａ１，３０ａ２    第２挿入ガイド孔
３０ｂ  左端
３０ｃ  右端
３０ｄ  上端面
３０ｅ  第３挿入ガイド孔
３０ｆ  底部
３０ｇ  係止突部
４０ａ，４０ｂ    第１挿入孔
４１    第２挿入孔
４２    コネクター室
９４    補助ケーブル
【図１】
0003138508.tif 000003
【図２】
0003138508.tif 000004
【図３】
0003138508.tif 000005
【図４】
0003138508.tif 000006
【図５】
0003138508.tif 000007
【図６】
0003138508.tif 000008
【図７】
0003138508.tif 000009
【図８】
0003138508.tif 000010
【図９】
0003138508.tif 000011
【図１０】
0003138508.tif 000012
【図１１】
0003138508.tif 000013
【図１２】
0003138508.tif 000014
【図１３】
0003138508.tif 000015
【図１４】
0003138508.tif 000016
【図１５】
0003138508.tif 000017
【図１６】
0003138508.tif 000018
【図１７】
0003138508.tif 000019
【図１８】
0003138508.tif 000020
【図１９】
0003138508.tif 000021